(57)【要約】【課題】利用者から依頼を受けたら、依頼情報に含まれる利用者の位置情報および利用者が所有する端末情報に応じた画像データを利用者に提供することができる画像検索および提供システムを提供する。【解決手段】クライアント端末１００と画像サーバ端末２００がネットワーク３００で接続された画像データの検索および提供システムにおいて、クライアント端末１００からの画像検索要求は、位置情報とクライアント端末の種類を含む付帯情報で構成し、画像サーバ端末２００は前記要求に対して位置情報とクライアント端末１００の種類とウェブページへのリンクおよび／またはテキスト情報を含む付帯情報と該当画像データを提供する。【選択図】        図１
2005006108.tif 000002
【特許請求の範囲】
【請求項１】
画像サーバ端末およびクライアント端末から成る画像データの検索および提供システムにおいて、画像サーバ端末には、携帯型端末に接続可能なネットワークインタフェイス部と、位置情報および付帯情報を含む画像データを記憶する画像データ記憶部と、前記ネットワークインタフェイス部を介して、クライアント端末と位置情報および付帯情報を相互に通信するための通信制御手段と、前記画像データ記憶部に記憶された画像データに含まれる位置情報と前記通信制御手段により受信した位置情報から画像データを抽出する画像データ検索手段と、画像データをクライアント端末に提供する画像データ提供手段とを備え、
前記クライアント端末には、画像サーバ端末に接続可能なネットワークインタフェイス部と、画像サーバ端末と位置情報および付帯情報を相互に通信するための通信手段と、該通信手段により画像サーバ端末に対して画像検索要求を送信する画像検索要求手段とを備え、
前記クライアント端末からの画像検索要求は、位置情報とクライアント端末の種類を含む付帯情報で構成し、画像サーバ端末は前記要求に対して位置情報とクライアント端末の種類とウェブページへのリンクおよび／またはテキスト情報を含む付帯情報と該当画像データを提供することを特徴とする画像検索および提供システム。
【請求項２】
画像データ並びに端末間で通信される位置情報および付帯情報には、少なくとも経緯度情報および固定型、携帯型、車載型などのクライアント端末の種類を示す情報があり、画像サーバ端末は受信したクライアント端末の種類に応じて、ウェブページへのリンク情報および／またはテキスト情報を付加するか否かを選択することを特徴とする請求項１記載の画像検索および提供システム。
【請求項３】
画像データ提供手段として、該画像データをネットワークインタフェイスを介してクライアント端末に直接送信する直接送信手段、もしくは該画像データを表示するウェブページを作成して、そのリンクを送信するリンク送信手段の何れかを持つことを特徴とする請求項１記載の画像検索および提供システム。
【請求項４】
ネットワークインタフェイス部にブルートゥース通信技術を用いることを特徴とする請求項１記載の画像検索および提供システム。
【請求項５】
前記通信制御制御手段として、ブルートゥース通信技術のローカルポジショニングプロファイルを用いることを特徴とする請求項１記載の画像検索および提供システム。
【発明の詳細な説明】
【０００１】
【発明の属する技術分野】
本発明は、位置情報から特定の画像データを検索して提供する画像検索および提供システムに関するものである。
【０００２】
【従来の技術】
近年、デジタルカメラの普及に伴い日常的にデジタル写真の撮影がされるようになってきている。さらに、ここ数年Ｅｘｉｆ（Ｅｘｃｈａｎｇｅａｂｌｅ  Ｉｍａｇｅ  Ｆｉｌｅ  Ｆｏｒｍａｔ）対応機器の増加によって、記憶される画像データの内、Ｅｘｉｆ画像データが占める割合が増えてきている。
Ｅｘｉｆとは、サムネイル画像や撮影情報、位置情報などのタグ情報を埋め込むことを可能にした画像ファイル形式で、プリンタなどの出力装置でより高品位な画像を得られるようにデジタルカメラで撮影時のタグ情報を記憶する方式の規格である。
位置情報から特定の画像データを検索して提供する画像検索および提供システムに関連して、特許文献１〜３記載の技術が知られている。
【特許文献１】特開２００２−０７３６１１公報
【特許文献２】特開２００２−２２９９０２公報
【特許文献３】特開２００２−０３６６３８公報
【０００３】
【発明が解決しようとする課題】
ところで、デジタル写真を撮影する機会が日常化してきている中、撮影された大量の撮影画像ファイルから利用者が希望する画像ファイルを探し出すのは困難である。
本発明はこのような背景に鑑みてなされたものであり、利用者から依頼を受けたら、依頼情報に含まれる利用者の位置情報および利用者が所有する端末情報に応じた画像データを利用者に提供することができる画像検索および提供システムを提供することを目的とする。
【０００４】
【課題を解決するための手段】
前記目的を達成するために、請求項１記載の発明は、画像サーバ端末およびクライアント端末から成る画像データの検索および提供システムにおいて、画像サーバ端末には、携帯型端末に接続可能なネットワークインタフェイス部と、位置情報および付帯情報を含む画像データを記憶する画像データ記憶部と、ネットワークインタフェイス部を介して、クライアント端末と位置情報および付帯情報を相互に通信するための通信制御手段と、画像データ記憶部に記憶された画像データに含まれる位置情報と通信制御手段により受信した位置情報から画像データを抽出する画像データ検索手段と、画像データをクライアント端末に提供する画像データ提供手段とを備え、クライアント端末には、画像サーバ端末に接続可能なネットワークインタフェイス部と、画像サーバ端末と位置情報および付帯情報を相互に通信するための通信制御手段と、通信制御手段により画像サーバ端末に対して画像検索要求を送信する画像検索要求手段とを備え、クライアント端末からの画像検索要求は、位置情報とクライアント端末の種類を含む付帯情報で構成し、画像サーバ端末は前記要求に対して位置情報とクライアント端末の種類とウェブページへのリンクおよび／またはテキスト情報を含む付帯情報と該当画像データを提供する画像検索および提供システムを最も主要な特徴とする。
【０００５】
請求項２記載の発明は、画像データ並びに端末間で通信される位置情報および付帯情報には、少なくとも経緯度情報および固定型、携帯型、車載型などのクライアント端末の種類を示す情報があり、画像サーバ端末は受信したクライアント端末の種類に応じて、ウェブページへのリンク情報および／またはテキスト情報を付加するか否かを選択する請求項１記載の画像検索および提供システムを主要な特徴とする。
請求項３記載の発明は、画像データ提供手段として、該画像データをネットワークインタフェイスを介してクライアント端末に直接送信する手段、もしくは該画像データを表示するウェブページを作成して、そのリンクを送信する手段の何れかを持つ請求項１記載の画像検索および提供システムを主要な特徴とする。
請求項４記載の発明は、ネットワークインタフェイス部にブルートゥース通信技術を用いる請求項１記載の画像検索および提供システムを主要な特徴とする。
請求項５記載の発明は、通信制御制御手段として、ブルートゥース通信技術のローカルポジショニングプロファイルを用いる請求項１記載の画像検索および提供システムを主要な特徴とする。
【０００６】
【発明の実施の形態】
以下、図面により本発明の実施の形態を詳細に説明する。
まず請求項１記載の発明に対応する第１実施例を説明する。図１は携帯型端末と画像サーバ端末間において、Ｂｌｕｅｔｏｏｔｈ通信を利用して画像検索・ウェブページの提供を行うためのシステム例のブロック図である。本システムは、携帯型端末（クライアント端末）１００と画像サーバ端末２００がネットワーク（通信制御手段）３００で接続されることで構成されている。
携帯型端末１００は、Ｂｌｕｅｔｏｏｔｈ規格に準拠したネットワークインタフェイス部１０１、画像サーバ端末２００から取得したウェブページの閲覧などに用いる液晶モニタ１０２、Ｂｌｕｅｔｏｏｔｈ通信を確立する際に画像サーバ端末２００の選択などの操作のための操作部１０３、オペレーションシステムやウェブブラウザのソフトウェアおよびウェブページなどを記憶するための領域が含まれる記憶部１０４、これら各要素が接続されている中央演算部１０５を備えている。
【０００７】
一方、画像サーバ端末２００は、Ｂｌｕｅｔｏｏｔｈ規格に準拠したネットワークインタフェイス部２０１、Ｅｘｉｆ（Ｅｘｃｈａｎｇｅａｂｌｅ  Ｉｍａｇｅ  Ｆｉｌｅ  Ｆｏｒｍａｔ）形式で記憶された画像データを記憶する画像データ記憶部２０２、オペレーションシステムなどのソフトウェアおよび画像データなどを記憶するための領域である記憶部２０４、それら各要素が接続されている中央演算部２０５を備えている。
なお、画像データ記憶部２０２および記憶部２０４は共通であっても差し支えない。画像データ記憶部２０２内の画像データは、ＥｘｉｆのＧＰＳ  ｉｎｆｏタグ領域に位置情報が登録された状態で記憶されている。
また、携帯型端末１００と画像サーバ端末２００間は、Ｂｌｕｅｔｏｏｔｈ規格のＬｏｃａｌ  Ｐｏｓｉｔｉｏｎｉｎｇ  Ｐｒｏｆｉｌｅ（以下、ＬＰプロファイルと略す）およびＰｅｒｓｏｎａｌ  Ａｒｅａ  Ｎｅｔｗｏｒｋ  Ｐｒｏｆｉｌｅ（以下、ＰＡＮプロファイルと略す）による接続が可能で、前者ＬＰプロファイルは後述する画像検索要求に用いられ、後者ＰＡＮプロファイルはＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）を利用したウェブページの取得などの際に利用される。
【０００８】
次に図１のシステム構成例での本発明の動作を図２に示す。携帯型端末１００はユーザもしくはＧｌｏｂａｌ  Ｐｏｓｉｔｉｏｎｉｎｇ  Ｓｙｓｔｅｍから目的の位置情報を取得して、図３の画像検索要求コマンドを生成する。
ここで画像検索要求とは、Ｂｌｕｅｔｏｏｔｈ規格のＬＰプロファイル仕様に定義されているＰｏｓｉｔｉｏｎ  Ｅｘｃｈａｎｇｅ  Ｒｅｑｕｅｓｔコマンドを用いることとする。Ｐｏｓｉｔｉｏｎ  Ｅｘｃｈａｎｇｅ  Ｒｅｑｕｅｓｔコマンドは、画像サーバ端末−携帯型端末間で位置情報を交換するためのコマンドであり、図３に示す通りである。
また、Ｐｏｓｉｔｉｏｎ  Ｅｘｃｈａｎｇｅ  Ｒｅｑｕｅｓｔコマンドを受信した画像サーバ端末２００は、通常Ｐｏｓｉｔｉｏｎ  Ｒｅｓｐｏｎｓｅと言う応答を返すことが定義されており、その応答にはＰｏｓｉｔｉｏｎ  Ｅｘｃｈａｎｇｅ  Ｒｅｑｕｅｓｔコマンドと同形式の位置情報および付帯情報が含まれている。
次に携帯型端末１００はＢｌｕｅｔｏｏｔｈ通信の接続を確立後、ＬＰプロファイルを用いて画像サーバ端末２００に生成した画像検索要求を送信する。
画像検索要求を受信した画像サーバ端末２００では画像検索要求に含まれる携帯型端末１００の種類を示す情報から、距離を表す条件値を決定する。例えば下記のようになる。
2005006108.tif 000003
さらに画像検索要求に含まれる位置情報と、画像データ記憶部２０２にある画像データ内の位置情報から距離を算出して、この距離の値が条件値より小さい画像データを抽出する処理を画像データ記憶部にある画像データ全てに対して行う。
【０００９】
次に請求項２記載の発明に対応する第２実施例を説明する。携帯型端末１００および画像サーバ端末２００間で通信される位置情報には、位置を特定するための経緯度情報の他に、携帯型端末１００の種類を示す情報やウェブページへのリンク情報やユーザのコメントを登録するための領域がある。このユーザコメント領域には写真を撮影した際の感想などを含めることが可能である。
次に請求項３記載の発明に対応する第３実施例を説明する。該当する画像データを表示するためのウェブページを作成して、そのリンクをＬＰプロファイルのＰｏｓｉｔｉｏｎ  ＲｅｓｐｏｎｓｅのオプションデータのＵＲＬとして送信する。
携帯型端末１００は、ＰＡＮプロファイルを利用して、画像サーバ端末２００に接続して、ＴＣＰ／ＩＰ経由でリンク先にアクセスすることにより、画像検索により抽出された全画像データを表示するウェブページをダウロードしてウェブブラウザ上で閲覧する。また、ＢＩ（Ｂａｓｉｃ  Ｉｍａｇｉｎｇ）プロファイルを用いて、携帯型端末１００に直接画像データを送信することも可能である。
【００１０】
【発明の効果】
以上説明したように、請求項１によれば、クライアント端末は、指定した任意の位置を中心に近傍の画像ファイルの提供を受けることにより、利用者は大量の画像データの中から希望する画像データを効率的に抽出することが可能になる。
請求項２によれば、画像サーバ端末は、利用者の端末種類を画像抽出範囲と提供方法を決定するために利用し、利用者の操作を待つことなく希望する画像データを提供することが可能になる。
請求項３によれば、画像サーバ端末が画像データを直接送信することにより、利用者は見たいときにいつでもどこでも閲覧が可能になり、また直接送信処理は利用者の端末に大きな負荷がかかり、端末の種類によっては直接送信できない場合も想定されるため、画像データを表示するウェブページのリンクを送信することにより、利用者はリンクのコピーなどをして異なる端末からアクセスすることが可能になる。
請求項４によれば、ネットワークインターフェイス部にブルートゥース通信技術を用いるので、汎用性の高い装置を構成することができる。
請求項５によれば、通信制御手段として、ブルートゥース通信技術のローカルポジショニングプロファイルを用いるので、汎用性の高い装置を構成することができる。
【図面の簡単な説明】
【図１】本発明の実施の形態に係る画像検索および提供システムの構成図。
【図２】図１に示すシステムにおける動作内容を示す図。
【図３】パケット概念図。
【符号の説明】
１００  携帯型端末（クライアント端末）、１０１  ネットワークインタフェイス部、１０２  液晶モニタ、１０３  操作部、１０４  記憶部、１０５  中央演算部、２００  画像サーバ端末、２０１  ネットワークインタフェイス部、２０２  画像記憶部、２０４  記憶部、２０５  中央演算部、３００  ネットワーク
【図１】
2005006108.tif 000004
【図２】
2005006108.tif 000005
【図３】
2005006108.tif 000006